(57)【要約】【課題】端末内に保存されたコンテンツデータとＷｅｂサーバより取得したコンテンツデータを容易な手段で表示を切り替えること。【解決手段】携帯端末１００内が、その携帯端末内１００に保存されたコンテンツデータ１０４とＷｅｂサーバから取得したコンテンツデータを画面切り替え用のタブ１４０を利用して表示の切り替えを行う。【選択図】図１
2008097216.tif 000002
【特許請求の範囲】
【請求項１】
Ｗｅｂブラウザ表示画面に画面切り替え用のタブを併せて表示すると共に、自端末に保存されたコンテンツを該タブの操作に応じて表示することを特徴とする表示切り替え携帯端末。
【請求項２】
前記タブを複数設け、それら表示領域に対する選択操作に応じて、自端末に保存されたコンテンツの表示と、Ｗｅｂコンテンツの表示とを切り替え可能に構成することを特徴とする請求項１記載の表示切り替え携帯端末。
【請求項３】
ポインティングデバイスまたはキーデバイスを利用して表示の切り替えを行うことを特徴とする請求項１または２記載の表示切り替え携帯端末。
【請求項４】
請求項１から３のいずれか１項に記載の表示切り替え携帯端末が、その表示切り替え携帯端末内に保存されたコンテンツデータとＷｅｂサーバから取得したコンテンツデータを画面切り替え用のタブを利用して表示の切り替えを行うことを特徴とする表示切り替えシステム。
【請求項５】
携帯端末のＷｅｂブラウザ表示画面に画面切り替え用のタブを併せて表示すると共に、自端末に保存されたコンテンツを該タブの操作に応じて表示することを特徴とする表示切り替え方法。
【請求項６】
前記タブを複数設け、それら表示領域に対する選択操作に応じて、自端末に保存されたコンテンツの表示と、Ｗｅｂコンテンツの表示とを切り替え可能に構成することを特徴とする請求項５記載の表示切り替え方法。
【請求項７】
ポインティングデバイスまたはキーデバイスを利用して表示の切り替えを行うことを特徴とする請求項５または６記載の表示切り替え方法。
【請求項８】
コンピュータに請求項１記載の機能を実現させることを特徴とするプログラム。
【請求項９】
コンピュータに請求項２記載の機能を実現させることを特徴とするプログラム。
【請求項１０】
コンピュータに請求項３記載の機能を実現させることを特徴とするプログラム。
【発明の詳細な説明】
【技術分野】
【０００１】
本発明は、Ｗｅｂサーバから取得したコンテンツデータの他に携帯端末内に保存されているコンテンツデータの表示切り替えの技術に関する。
【背景技術】
【０００２】
従来の携帯端末ブラウザはＷｅｂサーバから取得した複数のコンテンツデータの表示切り替えをタブとポインティングデバイス等を用いることで可能であった。
【０００３】
ここで、携帯電話は、ウェブサーバから複数の異なるタブページ情報の更新情報をインデックスファイルＩＤＸＦで取得して、その更新情報と前回ダウンロードしたタブページ情報の更新情報とをページ毎に比較してタブページ情報の更新有無を判定し、更新有が確認されたタブページ情報のみをウェブサーバから受信してタブページ情報の更新を行い、ディスプレイにタブブラウザを表示することで、タブページ閲覧においてウェブサーバとの間の通信量を低減させ、通信効率を向上できる技術が提案されている（例えば、特許文献１参照）。
【特許文献１】特開２００５−０５００１９号公報
【発明の開示】
【発明が解決しようとする課題】
【０００４】
しかしながら、従来技術では、携帯端末内に保存されているコンテンツデータの表示を切り替えるのにはタブやポインティングデバイスを用いることが出来ず安易な操作で表示を切り替えることができないという問題があった。
【０００５】
本発明は、以上説明した問題点を解決するためになされたものである。その目的は、端末内に保存されたコンテンツデータとＷｅｂサーバより取得したコンテンツデータを容易な手段で表示を切り替えることである。
【課題を解決するための手段】
【０００６】
請求項１記載の発明は、Ｗｅｂブラウザ表示画面に画面切り替え用のタブを併せて表示すると共に、自端末に保存されたコンテンツを該タブの操作に応じて表示することを特徴とする表示切り替え携帯端末である。
【０００７】
請求項２記載の発明は、請求項１記載の表示切り替え携帯端末において、タブを複数設け、それら表示領域に対する選択操作に応じて、自端末に保存されたコンテンツの表示と、Ｗｅｂコンテンツの表示とを切り替え可能に構成することを特徴とする。
【０００８】
請求項３記載の発明は、請求項１または２記載の表示切り替え携帯端末において、ポインティングデバイスまたはキーデバイスを利用して表示の切り替えを行うことを特徴とする。
【０００９】
請求項４記載の発明は、請求項１から３のいずれか１項に記載の表示切り替え携帯端末が、その表示切り替え携帯端末内に保存されたコンテンツデータとＷｅｂサーバから取得したコンテンツデータを画面切り替え用のタブを利用して表示の切り替えを行うことを特徴とする表示切り替えシステムである。
【００１０】
請求項５記載の発明は、携帯端末のＷｅｂブラウザ表示画面に画面切り替え用のタブを併せて表示すると共に、自端末に保存されたコンテンツを該タブの操作に応じて表示することを特徴とする表示切り替え方法である。
【００１１】
請求項６記載の発明は、請求項５記載の表示切り替え方法において、前記タブを複数設け、それら表示領域に対する選択操作に応じて、自端末に保存されたコンテンツの表示と、Ｗｅｂコンテンツの表示とを切り替え可能に構成することを特徴とする。
【００１２】
請求項７記載の発明は、請求項５または６記載の表示切り替え方法において、ポインティングデバイスまたはキーデバイスを利用して表示の切り替えを行うことを特徴とする。
【００１３】
請求項８記載の発明は、コンピュータに請求項１記載の機能を実現させることを特徴とするプログラムである。
【００１４】
請求項９記載の発明は、コンピュータに請求項２記載の機能を実現させることを特徴とするプログラムである。
【００１５】
請求項１０記載の発明は、コンピュータに請求項３記載の機能を実現させることを特徴とするプログラムである。
【発明の効果】
【００１６】
本発明によれば、端末内に保存されたコンテンツデータとＷｅｂサーバより取得したコンテンツデータを容易な手段で表示を切り替えることができる。
【発明を実施するための最良の形態】
【００１７】
以下、本発明の実施の形態について図面を参照して詳細に説明する。
【００１８】
図２はブラウザ表示画面内におけるＷｅｂサーバから取得したコンテンツデータと端末内に保存されているコンテンツデータの表示を切り替え方法について表す。
【００１９】
ブラウザ表示画面２１０aではタブ２２０aを備えており、ポインティングデバイス２３０でタブ２２０aを選択することで、Ｗｅｂサーバから取得したコンテンツデータと端末内に保存されているコンテンツデータの表示を切り替えることが可能となる。
【００２０】
次に図１、図２を参照して本実施の形態の動作について説明する。
【００２１】
携帯端末１００はキーデバイス１０１、ブラウザ表示画面１３０、コンテンツデータ１０４を有しており、Ｗｅｂサーバ１０３よりコンテンツデータを取得して、ブラウザ表示画面２１０aに取得したコンテンツデータとタブ２２０ａを付加して表示する。
【００２２】
キーデバイス１０１にはキーを押下することで端末内に保存されているコンテンツデータ１０４を表示することが可能な機能を有しており、キーデバイス１０１を押下することで、ブラウザ表示画面２１０aとタブ２２０aを消去しないでブラウザ表示画面２１０ｂにコンテンツデータ１０４とタブ２２０ｂを付加して表示する。
【００２３】
ブラウザ表示画面２１０ｃのタブ２２０ｃをポインティングデバイス２３０で選択することで、Ｗｅｂサーバ１３０から取得したコンテンツデータをブラウザ表示画面２１０ｄに表示する。
【００２４】
上記の本実施の形態によれば、端末内に保存されたコンテンツデータとＷｅｂサーバより取得したコンテンツデータを容易な手段で表示を切り替えることが可能である。その理由は、端末内に保存されたコンテンツデータを表示する時にタブを付加し、ポインティングデバイスの選択を可能としたためである。
【００２５】
端末内に保存されたコンテンツデータの他にも携帯事業者が配信しているコンテンツデータにもタブを付加することで容易に表示を切り替えることが可能である。また、表示切り替え手段をポインティングデバイス以外にキーデバイス等に機能を割り当てることも可能である。
【００２６】
なお、上述する各実施の形態は、本発明の好適な実施の形態であり、本発明の要旨を逸脱しない範囲内において種々変更実施が可能である。例えば、携帯端末１００の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００２７】
上述する各実施の形態は、携帯端末１００が１つのコンピュータシステムとして実現されている構成について説明したが、機能毎に複数の装置などが追加された構成にも適用可能であることはもちろんである。
【００２８】
また、本発明によれば、携帯端末以外のブラウザを搭載している電子機器の表示データの切り替え手段の用途にも適用可能である。
【図面の簡単な説明】
【００２９】
【図１】本発明の実施の形態における携帯端末の構成を示す図である。
【図２】本発明の実施の形態における処理動作を示す図である。
【符号の説明】
【００３０】
１００    携帯端末
１０１    キーデバイス
１０３    Ｗｅｂサーバ
１０４    コンテンツデータ
１３０    ブラウザ表示画面
１４０    タブ
１５０    ポインティングデバイス
【図１】
2008097216.tif 000003
【図２】
2008097216.tif 000004